(57)【要約】配信サーバは、受信者に属する以前の未認可のコピーのデータベース内に格納された情報から決定される条件に従って、受信者へＡ／Ｖ情報内容を配信する。受信者へ配信されたコピーは、暗号化及びウォータマーキング技術を使用するＩＤ埋め込み器により埋め込まれた情報内容及び受信者の識別子をその中に有する。検出サーバは、種々の配信チャネルからサンプルされたＡ／Ｖ情報内容内に埋め込まれたＩＤを検出し、そして、以前の未認可のコピーのデータベースを更新するために、ＩＤ情報を配信サーバへ供給する。
2004514204.tif 000002
【特許請求の範囲】
【請求項１】
保護された素材を配信するコンピュータで実行される方法であって、
予期された受信者に以前に提供された他の保護された素材の未認可のコピーの情報に少なくとも部分に従って、前記予期された受信者へ保護された素材を提供する条件を確認し、
前記条件に従って、前記予期された受信者へ、前記保護された素材のコピーを提供するか又は与えずにおく、コンピュータで実行される方法。
【請求項２】
前記確認することは、更に、データべースから未認可のコピーの前記情報を得ることを含む、請求項１に記載の方法。
【請求項３】
前記提供することは、前記保護された素材のコピーを、ファイルの形式で、前記予期された受信者へ提供することを含む、請求項１に記載の方法。
【請求項４】
前記提供することは、前記保護された素材のコピーを、ストリーミング媒体の形式で、前記予期された受信者へ提供することを含む、請求項１に記載の方法。
【請求項５】
前記保護された素材は、オーディオ−ビジュアル情報内容を含む、請求項４に記載の方法。
【請求項６】
前記コピーを前記予期された受信者へ提供する前に、前記保護された素材の識別子を前記コピーへ埋め込むことを、更に有する請求項５に記載の方法。
【請求項７】
前記コピーを前記予期された受信者へ提供する前に、前記予期された受信者の識別子を前記コピーへ埋め込むことを、更に有する請求項５に記載の方法。
【請求項８】
前記埋め込むことは、暗号化技術を使用する、請求項７に記載の方法。
【請求項９】
前記埋め込むことは、ウォーターマーキング技術を使用する、請求項７に記載の方法。
【請求項１０】
前記予期された受信者の前記識別子は、前記予期された受信者のクレジットカード番号を含む、請求項７に記載の方法。
【請求項１１】
前記予期された受信者の前記識別子は、前記予期された受信者の電子署名を含む、請求項７に記載の方法。
【請求項１２】
前記予期された受信者の前記識別子は、前記予期された受信者のコンピュータに関連するシリアル番号を含む、請求項７に記載の方法。
【請求項１３】
前記予期された受信者の前記識別子は、前記予期された受信者のコンピュータ内のネットワークインターフェースカードに関連するインターネットプロトコルアドレスを含む、請求項７に記載の方法。
【請求項１４】
前記コピーを前記予期された受信者に提供する前に、前記保護された素材の前記コピー内の前記保護された素材を暗号化することを、更に含む、請求項７に記載の方法。
【請求項１５】
前記確認することは、公式と前記予期された受信者へ以前に提供された他の保護された素材の未認可のコピーの情報に従って、前記保護された素材を、前記予期された受信者へ提供するための価格を決定することを含む、請求項７に記載の方法。
【請求項１６】
インターネットをわたって前記保護された素材の識別子と前記予期された受信者の前記識別子を受信することを更に有し、前記予期された受信者へ前記保護された素材の前記コピーの前記提供することは、インターネットを使用する、請求項１５に記載の方法。
【請求項１７】
前記確認することは、
前記予期された受信者の前記識別子を遠隔サーバへ送信し、
前記保護された素材を前記予期された受信者へ提供する前記条件を、前記遠隔サーバから戻して受信する、請求項１５に記載の方法。
【請求項１８】
前記提供することは、
前記保護された素材の前記コピーを、実体的な媒体上に記録し、
前記条件に従って、前記実体的な媒体を、前記予期された受信者に提供する、請求項１７に記載の方法。
【請求項１９】
前記実体的な媒体は、コンパクトディスクである、請求項１８に記載の方法。
【請求項２０】
前記実体的な媒体は、ディジタルバーサタイルディスクである、請求項１８に記載の方法。
【請求項２１】
保護された素材を配信する装置であって、
予期された受信者に以前に提供された他の保護された素材の未認可のコピーの情報に少なくとも部分に従って、前記予期された受信者へ保護された素材を提供する条件を確認し、
前記条件に従って、前記予期された受信者へ又は前記予期された受信者から、前記保護された素材のコピーを提供するか又は与えずにおく、
第１の組のプログラムコードを有するコンピュータを有する装置。
【請求項２２】
前記確認することは、更に、データべースから未認可のコピーの前記情報を得ることを含む、請求項２１に記載の装置。
【請求項２３】
前記提供することは、前記保護された素材のコピーを、ファイルの形式で、前記予期された受信者へ提供することを含む、請求項２１に記載の装置。
【請求項２４】
前記提供することは、前記保護された素材のコピーを、ストリーミング媒体の形式で、前記予期された受信者へ提供することを含む、請求項２１に記載の装置。
【請求項２５】
前記保護された素材は、オーディオ−ビジュアル情報内容を含む、請求項２４に記載の装置。
【請求項２６】
前記コンピュータは、前記コピーを前記予期された受信者へ提供する前に、前記保護された素材の識別子を前記コピーへ埋め込む第２の組みのプログラムコードを有する請求項２５に記載の装置。
【請求項２７】
前記コンピュータは、前記コピーを前記予期された受信者へ提供する前に、前記予期された受信者の識別子を前記コピーへ埋め込む第２の組みのプログラムコードを有する請求項２６に記載の装置。
【請求項２８】
前記埋め込むことは、暗号化技術を使用する、請求項２７に記載の装置。
【請求項２９】
前記埋め込むことは、ウォーターマーキング技術を使用する、請求項２７に記載の装置。
【請求項３０】
前記予期された受信者の前記識別子は、前記予期された受信者のクレジットカード番号を含む、請求項２７に記載の装置。
【請求項３１】
前記予期された受信者の前記識別子は、前記予期された受信者の電子署名を含む、請求項２７に記載の装置。
【請求項３２】
前記予期された受信者の前記識別子は、前記予期された受信者のコンピュータに関連するシリアル番号を含む、請求項２７に記載の装置。
【請求項３３】
前記予期された受信者の前記識別子は、前記予期された受信者のコンピュータ内のネットワークインターフェースカードに関連するインターネットプロトコルアドレスを含む、請求項２７に記載の装置。
【請求項３４】
前記コンピュータは、前記コピーを前記予期された受信者に提供する前に、前記コピー内の前記保護された素材を暗号化する第３の組のプログラムコードを有する、請求項２７に記載の装置。
【請求項３５】
前記確認することは、公式と前記予期された受信者へ以前に提供された他の保護された素材の未認可のコピーの情報に従って、前記保護された素材を、前記予期された受信者へ提供するための価格を決定することを含む、請求項２７に記載の装置。
【請求項３６】
前記第１の組のプログラムコードは更に、インターネットをわたって前記保護された素材の識別子と前記予期された受信者の前記識別子を受信し、前記予期された受信者へ前記保護された素材の前記コピーの前記提供することは、インターネットを使用する、請求項３５に記載の装置。
【請求項３７】
前記確認することは、
前記予期された受信者の前記識別子を遠隔サーバへ送信し、
前記保護された素材を前記予期された受信者へ提供する前記条件を、前記遠隔サーバから戻して受信する、請求項３５に記載の装置。
【請求項３８】
前記提供することは、
前記保護された素材の前記コピーを、実体的な媒体上に記録し、
前記条件に従って、前記実体的な媒体を、前記予期された受信者に提供する、請求項３７に記載の装置。
【請求項３９】
前記実体的な媒体は、コンパクトディスクである、請求項３８に記載の装置。
【請求項４０】
前記実体的な媒体は、ディジタルバーサタイルディスクである、請求項３８に記載の装置。
【請求項４１】
保護された素材の未認可のコピーのデータベースを発生するコンピュータで実行される方法であって、
配信チャネルから獲得した保護された素材のコピー内に埋め込まれている少なくとも１つの識別子を検出し、
前記保護された素材の未認可のコピーを示すために、データベース内に前記少なくとも１つの識別子に従って、前記保護された素材の情報を蓄積する、コンピュータで実行される方法。
【請求項４２】
前記少なくとも１つの識別子は、前記保護された素材を識別する情報内容識別子、及び、前記保護された素材の受信者を識別する受信者識別子を含む、請求項４１に記載の方法。
【請求項４３】
前記少なくとも１つの識別子は、暗号化技術により、前記保護された素材内に埋め込まれている請求項４２に記載の方法。
【請求項４４】
前記少なくとも１つの識別子は、ウォーターマーキング技術により、前記保護された素材内に埋め込まれている請求項４２に記載の方法。
【請求項４５】
前記保護された素材は、オーディオ−ビジュアル情報内容を含む、請求項４２に記載の方法。
【請求項４６】
前記受信者は、前記保護された素材の前記コピーの最初の購入者である、請求項４５に記載の方法。
【請求項４７】
前記受信者識別子は、前記最初の購入者のクレジットカード番号である、請求項４６に記載の方法。
【請求項４８】
前記受信者は、前記保護された素材に関するポストプロダクション作業に関係する独立契約者である、請求項４５に記載の方法。
【請求項４９】
更に、インターネットをわたり、前記保護された素材の前記コピーを獲得する、請求項４５に記載の方法。
【請求項５０】
前記獲得することは、
リストサーバと交信し、
前記リストサーバにより識別されたオンラインクライアントから、選択された保護された素材のコピーをダウンロードする、請求項４９に記載の方法。
【請求項５１】
前記獲得することは、
選択された保護された素材を検索し、
前記検索の結果として識別されたオンラインクライアントから、前記選択された保護された素材のコピーをダウンロードする、請求項４９に記載の方法。
【請求項５２】
保護された素材の未認可のコピーのデータベースを発生する装置であって、
配信チャネルから獲得した保護された素材のコピー内に埋め込まれている少なくとも１つの識別子を検出し、
前記保護された素材の未認可のコピーを示すために、データベース内に前記少なくとも１つの識別子に従って、前記保護された素材の情報を蓄積する、
第１の組のプログラムコードを有するコンピュータを有する装置。
【請求項５３】
前記少なくとも１つの識別子は、前記保護された素材を識別する情報内容識別子、及び、前記保護された素材の受信者を識別する受信者識別子を含む、請求項５２に記載の装置。
【請求項５４】
前記少なくとも１つの識別子は、暗号化技術により、前記保護された素材内に埋め込まれている請求項５３に記載の装置。
【請求項５５】
前記少なくとも１つの識別子は、ウォーターマーキング技術により、前記保護された素材内に埋め込まれている請求項５３に記載の装置。
【請求項５６】
前記保護された素材は、オーディオ−ビジュアル情報内容を含む、請求項５３に記載の装置。
【請求項５７】
前記受信者は、前記保護された素材のコピーの最初の購入者である、請求項５６に記載の装置。
【請求項５８】
前記受信者識別子は、前記最初の購入者のクレジットカード番号である、請求項５７に記載の装置。
【請求項５９】
前記受信者は、前記保護された素材に関するポストプロダクション作業に関係する独立契約者である、請求項５６に記載の装置。
【請求項６０】
前記コンピュータは、インターネットをわたり、前記保護された素材を獲得する、第２の組みのプログラムコードを有する、請求項５６に記載の装置。
【請求項６１】
前記獲得することは、
リストサーバと交信し、
前記リストサーバにより識別されたオンラインクライアントから、選択された保護された素材のコピーをダウンロードする、請求項６０に記載の装置。
【請求項６２】
前記獲得することは、
選択された保護された素材を検索し、
前記検索の結果として識別されたオンラインクライアントから、前記選択された保護された素材のコピーをダウンロードする、請求項６０に記載の装置。
【請求項６３】
保護された素材を配信する装置であって、
少なくとも１つの配信チャネルから獲得された保護された素材のコピー内に埋め込まれた識別子を検出し、且つ、前記保護された素材の未認可のコピーを示すために、データベース内に前記識別子に従って、前記保護された素材の情報を蓄積する、第１のプログラムを有する検出サーバと、
前記データベース内の前記情報に少なくとも部分に従って、予期された受信者へ保護された素材を提供する条件を確認し、前記条件に従って、前記予期された受信者へ、前記保護された素材のコピーを提供するか又は与えずにおく、第２のプログラムを有する配信サーバと、を有する装置。
【請求項６４】
前記保護された素材は、オーディオ−ビジュアル情報内容を含む、請求項６３に記載の装置。
【請求項６５】
前記配信サーバは、前記予期された受信者へ前記コピーを提供する前に、前記コピー内に、前記保護された素材の識別子を埋めこむ、第３のプログラムを有する、請求項６４に記載の装置。
【請求項６６】
前記第３のプログラムは、更に、前記予期された受信者へ前記コピーを提供する前に、前記コピー内に、前記受信者の識別子を埋め込む、請求項６５に記載の装置。
【請求項６７】
前記埋め込むことは、暗号化技術を使用する、請求項６６に記載の装置。
【請求項６８】
前記埋め込むことは、ウォーターマーキング技術を使用する、請求項６６に記載の装置。
【請求項６９】
前記確認することは、公式と前記データベース内の前記情報に従って、前記保護された素材を、前記予期された受信者へ提供するための価格を決定することを含む、請求項６４に記載の装置。
【請求項７０】
前記第２のプログラムは更に、インターネットをわたって前記保護された素材の情報内容識別子と、前記予期された受信者の受信者識別子を受信し、前記コピーの前記提供することは、インターネットを使用する、請求項６９に記載の装置。
【請求項７１】
前記検出サーバは、インターネットをわたり、少なくとも１つの配信チャネルから前記保護された素材を獲得する、第４のプログラムを有する請求項６４に記載の装置。
【請求項７２】
前記獲得することは、
リストサーバと交信し、
前記リストサーバにより識別されたオンラインクライアントから、選択された保護された素材をダウンロードする、請求項７１に記載の装置。
【請求項７３】
前記獲得することは、
選択された保護された素材を検索し、
前記検索の結果として識別されたオンラインクライアントから、前記選択された保護された素材をダウンロードする、請求項７１に記載の装置。
【発明の詳細な説明】
【０００１】
発明の分野
本発明は、一般的には、著作権のある素材の配信に関連し、特に、検出された著作権侵害レベルに基づいてディジタルオーディオビジュアル（”Ａ／Ｖ”）情報内容配信条件を決定する方法及び装置に関連する。
【０００２】
発明の背景
動画、音楽、話された単語、写真又は、印刷されたテキストのようなオーディオビジュアル情報内容（コンテンツ）の認可されていないコピーと配信（ここでは、”著作権侵害”と呼ぶ）は、そのような情報内容の所有者の大きな問題である。例えば、Ｒｅｃｏｒｄｉｎｇ　Ｉｎｄｕｓｔｏｒｙ　Ａｓｓｏｃｉａｔｉｏｎ　ｏｆ　Ａｍｅｒｉｃａ（”ＲＩＡＡ”）は、物理的な商品の著作権侵害は、米国レコード産業単独でも、１年で１億ドルであり、そして、世界では、年に１０億ドルである。
【０００３】
インターネットの出現とディジタルＡ／Ｖ情報内容の人気の成長で、著作権侵害の問題は、新たな次元へと成長した。これらのそして、他の新たな技術の利用可能性は、未認可のコピーの問題を普及させたので、実質的に、パーソナルコンピュータ又はインターネット装置を所有する誰もが、著作権侵害に加わることが可能である。そのような状況の下で、著作権者の権利は、侵害されそして、それらの権利の利益が失われることが増加している。
【０００４】
オーディオ配信
例えば、音楽形式のＡ／Ｖ情報内容は、今日では、”リッパー”ソフトウェアを使用してオーディオコンパクトディスク（”ＣＤ”）から簡単に発生される。図１に示されたように、Ａ／Ｖ情報内容１０４を発生するために、ＣＤ１０１上のオリジナルオーディオは、光ドライブ１０２で再生されそして、ＣＤ”リッパー”ソフトウェア１０３は、光ドライブ１０２の出力からディジタルＡ／Ｖ情報内容１０４を生成する。好ましくは、Ａ／Ｖコンテンツ１０４は、ＭＰ３フォーマットのコンピュータファイルの形式が好ましい。このように生成されたＡ／Ｖ情報内容１０４は、オリジナルオーディオの非常に正確な表現である。一旦生成されると、オーディオへの権利に対して受信する相手方が支払いせずに、他の側へインターネット１１１を介してＡ／Ｖ情報内容１０４を伝送することは、簡単なことである。例えば、ｗｗｗ．ｎａｐｓｔｅｒ．ｃｏｍで見つかるような又は、ｗｗｗ．ｇｎｕｔｅｌｌａ．ｗｅｇｏ．ｃｏｍで入手できるソフトウェアを通してのグヌーテラコミュニティとして形成された、オンライン音楽コミュニティーの成長は、音楽消費者が情報内容を自由に且つ簡単にブラウズし且つ情報内容所有者への補償無しに音楽消費者の間で転送するので、オーディオ情報内容のウイルス形式の拡散を容易にする。
【０００５】
図１は、ナプスター仮想ネットワーク１００の例を示す。リストサーバコンピュータ１０５は、現在オンライン中の消費者クライアントコンピュータの身元、各消費者クライアントコンピュータから入手できる音楽又は他のＡ／Ｖ情報内容、及び、各消費者クライアントコンピュータに関連するインターネット接続速度を含むリストデータ１０７を格納するメモリ１０６を有する。この例では、消費者クライアントコンピュータ１０８、１０９及び１１０は、現在オンラインであり、接続され、そして、インターネット１１１を介してリストサーバコンピュータ１０５と接続される。消費者クライアントコンピュータ１０８、１０９及び、１１０は、インターネット１１１を介してリストデータ１０７をアクセスするために、伝統的なクライアント−サーバ関係で、リストサーバコンピュータ１０５と対話する。これは、消費者クライアントコンピュータ１０８、１０９及び、１１０の操作者に、どの音楽を選択しそして、他の消費者クライアントコンピュータから音楽を転送することを可能とする。例えば、図１の破線で示されているように、消費者クライアントコンピュータ１０９の操作者が、消費者クライアントコンピュータ１０８から、選択されたＡ／Ｖ情報内容１０４をダウンロードすることを選択した場合には、消費者クライアントコンピュータ１０９は、Ａ／Ｖ情報内容１０４のコピーをそのメモリ１１３へ転送するために、クライアント−サーバ形式の方法で、消費者クライアントコンピュータ１０８と対話する。
【０００６】
図１に示されたナプスター形式のサイトの場合には、リストサーバ１０５は、実際には音楽を蓄積せず、及び、リストサーバ１０５又はそのメモリ１０６を通して、音楽を実際には通過させない。しかし、リストサーバ１０５は、中央化されたデータリスト１０７を維持し、そして、この結果、リストサーバ１０５上に中央化されたデータリスト１０７を発生する人又はエンティティは、法的な責任を受ける。エンティティにサービスする中央化されたデータリストが提供する目に見える状態を避けるために、協同する当事者間で音楽を転送する他の方法が、考案された。１つのそのような方法は、グヌーテラコミュニティのアプローチである。
【０００７】
図２は、グヌーテラ仮想ネットワーク２００の例を示す。この場合には、リストサーバはない。各消費者コンピュータ２０１、２０２、２０３及び２０４は、他の消費者コンピュータから音楽を受信するか又は音楽を転送するかに依存して、クライアント又はサーバのいずれかとして動作する。グヌーテラアプリケーションを実行しているときに、各消費者コンピュータ２０１、２０２、２０３及び２０４は、グヌーテラ仮想ネットワーク２００のＩＰアドレスを知っている他の消費者コンピュータのリストを維持する。グヌーテラアプリケーションソフトウェアの特別の特徴は、各消費者コンピュータ２０１、２０２、２０３及び２０４は、グヌーテラ仮想ネットワーク２００内の全ての消費者コンピュータ２０１、２０２、２０３及び２０４へアクセスを提供するために、グヌーテラ仮想ネットワーク２００内の１つの他の消費者コンピュータのＩＰアドレスを知っていることのみ必要があることである。そして、各消費者コンピュータ２０１、２０２、２０３及び２０４は、グヌーテラ仮想ネットワーク２００へ検索の質問を送り、そして、検索結果を受信することができる。このように、消費者コンピュータ２０１、２０２、２０３及び２０４の１つの操作者は、操作者が手に入れたい、１つの音楽を見つけるときに、これをグヌーテラアプリケーションソフトウェアに示すことができ、そして、グヌーテラアプリケーションソフトウェアは、インターネット２０５を通して、そのような音楽を有する消費者コンピュータから、要求する消費者コンピュータへの、直接転送を容易にする。例として、消費者コンピュータ２０１、２０２、２０３及び２０４とインターネット２０５の間の太線は、消費者コンピュータ２０１、２０２、２０３及び２０４の間の、検索質問と検索結果の転送を示す。破線は、他方では、消費者コンピュータ２０４の操作者が、その音楽の選択をした後の、インターネット２０５を通しての、消費者コンピュータ２０３から消費者コンピュータ２０４へ音楽のコピー２１４の実際の転送を示す。
【０００８】
図３は、グヌーテラ仮想ネットワーク２００の接続図の例を示し、アリス、チャーリー、イブ及び、ボブが、それぞれ消費者コンピュータ２０１、２０２、２０３及び２０４についての偽名である。この例では、アリスは、チャーリーのＩＰアドレスを知っているので、アリスはチャーリーがグヌーテラ仮想ネットワーク２００に接続されている（即ち、チャーリーがオンラインである）ことを知っているが、しかし、グヌーテラ仮想ネットワーク２００にイブとボブが接続されていることは知っておらず；チャーリーは、アリスとイブのＩＰアドレスを知っているので、チャーリーは、アリスとイブがグヌーテラ仮想ネットワーク２００に接続されている（即ち、アリスとイブがオンラインである）ことを知っているが、しかし、グヌーテラ仮想ネットワーク２００にボブが接続されていることは知っておらず；イブは、ボブとチャーリーのＩＰアドレスを知っているので、イブは、ボブとチャーリーがグヌーテラ仮想ネットワーク２００に接続されている（即ち、ボブとチャーリーがオンラインである）ことを知っているが、しかし、グヌーテラ仮想ネットワーク２００にアリスが接続されていることは知っておらず；そして、ボブは、イブのＩＰアドレスを知っているので、ボブはイブがグヌーテラ仮想ネットワーク２００に接続されている（即ち、イブがオンラインである）ことを知っているが、しかし、グヌーテラ仮想ネットワーク２００にアリスとチャーリーが接続されていることは知らない。理解されるように、アリス、チャーリー、イブ及び、ボブは、グヌーテラ仮想ネットワーク２００に接続されている、全ての他の消費者コンピュータの身元を知らないので、グヌーテラアプリケーションソフトウェアは、検出と著作権侵害についての可能な訴訟からそれらを保護する、未知の消費者コンピュータへの、保護的な匿名性を提供する。
【０００９】
安全ディジタル音楽イニシアティブ（ＳＤＭＩ）のようなグループから、インターネットからのディジタル音楽のダウンロード、配信及び視聴のための安全な環境を生成するイニシアティブがある。このシステムは、音楽情報内容へのアクセスを制御する暗号化及び、一旦情報内容が復号されたときに装置を制御するウォーターマーク又は埋め込まれたデータ（記録の制御又は再生の制御のいずれか）を使用する。このシステムは、それが有効になる前に、完全に新しいクラスの携帯音楽プレーヤ装置の導入を必要とするという、欠点を有する。これらの装置が、市場で受け入れられないと分かる場合には、ＳＤＭＩシステムは、効果がなくそして、ディジタルＡ／Ｖ情報内容の合法的なコピーを購入することを消費者に促すことはなく、これに対して、ＣＤから得られる音楽を破り且つ転送することを継続する。
【００１０】
劇場の上演
映画の情報内容の所有者は、映画の製作の投資の回収の大きな部分を劇場公開中に得る。劇場公開は、投資の回収を最大にするために、飛行機内の上映、ケーブルのペイパービュー（見る毎の支払い）チャネル又は、ビデオテープのような他のチャネルへの公開に先行する。劇場公開中に不法に配信された情報内容は、情報内容所有者の早期レートの回収の減少を表す。現在のフィルムでの劇場上演で、著作権侵害者による劇場内でのカムコーダの使用は、劇場公開ウインドウ中に映画の情報内容を得るための主な機構を提供する。
【００１１】
劇場運営へのディジタル情報内容の導入は、劇場での自動化システムの使用を可能とする。劇場自動化システムは、劇場の所有者が、その施設を小人数のスタッフで運営することを可能とし、更に素早くどの特定の情報内容について利用できる幾つかのスクリーンを立ち上げそして降ろし、且つ、劇場運営の効率の全体的な改善を提供する。これらの劇場自動化システムは、劇場運営者が、素早く切符売り場情報を、配給業者に通信することも可能とし、これは、配給業者と結果的に著作権者が、更に効率よく運営することを可能とする。
【００１２】
図４は、高品質ディジタル形式で映画の配信を可能とする、ディジタル劇場システム４００を示す。配信サーバ４０１は、衛星又は光ファイバを使用した安全伝送経路４０３を通して、又は、代わりに（図示していない）光又は磁気媒体により、映画を劇場クライアント４０２に配信する。ディジタル劇場内での映画内容の投射は、フィルムと比較してすばらしい映像品質を提供しそうであり、これにより、この開催地で映写される映画を映画の著作権侵害者の操作についてのソースとして、更に望ましくする。配信サーバ４０１は、情報内容の安全性を高めるために、安全伝送経路４０３を通して（又は、代わりに媒体で）、暗号化された情報内容を送信し、そして、劇場クライアント４０２は、劇場スクリーン４０６へ映写のためにプロジェクタ４０５へ送る前に、映画を復号する復号器４０４を有する。そのような保護に関わらず、しかしながら、映画の情報内容が安全でない形式で入手可能である種々の点が存在する。例えば、著作権侵害者のカムコーダ４０７が、記録された映画が著作権侵害者の配信チャネル４０８を通して配信されるように、劇場スクリーン４０６で上映中の映画を記録するかもしれない。他の例は、著作権を侵害する無防備な他の点は、（図示していない）再生装置とプロジェクタ４０５の間のインターフェース又は、プロジェクタ４０５内の幾つかの点である。
【００１３】
一般的には、劇場運営者は、その劇場内でカムコーダにより不法にコピーを作成する顧客の試みを制限しようとすることが幾つかの義務である。明らかに、劇場運営者は、映画の情報内容にアクセスできる従業員が法律を厳守することを補償することも義務である。このように、劇場が、著作権侵害された情報内容の源である場合には、著作権者は、著作権侵害された情報内容の源である劇場は、適切に著作権者へ補償する義務を負うことを、合法的に、主張できる。
【００１４】
ポスト−プロダクション
映画を製作する現在のプロセスは、多数の従業員と契約者の間で仕事を分散することを必要とする。図５に示されているように、コンピュータとネットワークの能力の急速な上昇で、そのようなプロセスは、しばしば、分散された作業環境５００を提供するために、中央発行者コンピュータ５０１から契約者コンピュータ５０２、５０３及び５０４へ、映画又は他のＡ／Ｖ情報内容のの一部分の配信を含む。この分散された作業環境は、製作プロセスの効率を改善するが、しかし、Ａ／Ｖ情報内容５０６の大きな部分を、著作権侵害者配信チャネル５１３を通したコピー又は不適切な再配信に弱くもする。ポストプロダクション作業環境からの著作権侵害は、時々、劇場公開に先立ち、街頭でヒットする著作権侵害された映画とさえなる。再び、これは、情報内容の所有者の収入ストリームに悪影響を及ぼす。
【００１５】
本発明の目的及び概要
従って、本発明の目的は、ある方法で、そのような素材の権利保有者を、保護された素材の未認可のコピーにより起こされる損失に対してある方法で補償する、Ａ／Ｖ情報内容と他の保護された素材を配信する方法と装置を提供することである。
【００１６】
他の目的は、Ａ／Ｖ情報内容と他の保護された素材を配信する方法又は装置で使用する、保護された素材の未認可のコピーのデータベースを発生する、方法と装置を提供することである。
【００１７】
これらの及び追加の目的は、本発明の種々の面により達成され、短く言えば、１つの面は、保護された素材を配信するコンピュータで実行される方法である。この方法は、予期された受信者に以前に提供された他の保護された素材の未認可のコピーの情報に少なくとも部分に従って、予期された受信者へ保護された素材を提供する条件を確認し、そして、その条件に従って、予期された受信者へ、保護された素材のコピーを提供するか又は与えずにおく。
【００１８】
他の面は、保護された素材を配信する装置である。この装置は、第１の組のプログラムコードを有するコンピュータを有する。第１の組のプログラムコードは、予期された受信者に以前に提供された他の保護された素材の未認可のコピーの情報に少なくとも部分に従って、予期された受信者へ保護された素材を提供する条件を確認するように働く。第１の組のプログラムコードは、その条件に従って、予期された受信者へ又は予期された受信者から、保護された素材のコピーを提供するか又は与えずにおくように働く。
【００１９】
他の面は、保護された素材の未認可のコピーのデータベースを発生するコンピュータで実行される方法である。この方法は、配信チャネルから獲得した保護された素材のコピー内に埋め込まれている少なくとも１つの識別子を検出し、保護された素材の未認可のコピーを示すために、データベース内に少なくとも１つの識別子に従って、保護された素材の情報を蓄積する。
【００２０】
他の面は、保護された素材の未認可のコピーのデータベースを発生する装置である。この装置は、第１の組のプログラムコードを有するコンピュータを有する。第１の組のプログラムコードは、配信チャネルから獲得した保護された素材のコピー内に埋め込まれている少なくとも１つの識別子を検出し、且つ、保護された素材の未認可のコピーを示すために、データベース内に少なくとも１つの識別子に従って、保護された素材の情報を蓄積する。
【００２１】
更に他の面は、保護された素材を配信しそして、そのような素材の無認可のコピーを検出するシステムである。このシステムは、少なくとも１つの配信チャネルから獲得された保護された素材のコピー内に埋め込まれた識別子を検出し、且つ、保護された素材の未認可のコピーを示すために、データベース内の識別子に従って、保護された素材の情報を蓄積する、第１のプログラムを有する検出サーバを有する。このシステムは、データベース内の情報に少なくとも部分に従って、予期された受信者へ保護された素材のコピーを提供する条件を確認し、条件に従って、予期された受信者へ、保護された素材のコピーを提供するか又は与えずにおく、第２のプログラムを有する配信サーバも有する。
【００２２】
本発明の種々の面の、更なる目的、特徴及び利点は、添付の図面と共に、以下の好ましい実施例の説明から明らかとなろう。
【００２３】
好ましい実施例の詳細な説明
ここで使用するように、用語”素材”及び”情報内容（コンテンツ）”は、交換可能に使用され；”オーディオービジュアル情報内容”又は、”Ａ／Ｖ情報内容”は、動画、音楽、話し言葉、写真又は、印刷されたテキストを含み；”保護された素材”は、契約又は知的財産権法により保護されている素材であることを意味し、そして、Ａ／Ｖ情報内容を含み；”受信者”は、保護された素材を受信した当事者又はコンピュータを示し；”予期される受信者”は、保護された素材を要求した当事者又はコンピュータを意味し；”コンピュータ”は、ワークステーション、パーソナルコンピュータ、情報装置、セットトップボックス及び、他の双方向通信能力を有する接続された装置を含む。
【００２４】
配信サーバ
図６は、直接的にＡ／Ｖ情報内容６０３を配信する、配信サーバシステム６００を示す。３つの配信手段−コンパクトディスク（”ＣＤ”）又はディジタルバーサタイルディスク（”ＤＶＤ”）６０８、インターネット６０９、及び、直接線接続６１３が、示されている。配信サーバシステム６００の所定のアプリケーションでは、どの、１つ、２つ又は３つのこれらの配信手段も使用され得る。アプリケーションに依存して、Ａ／Ｖ情報内容６０３は、１つ又はそれ以上の映画、１つ又はそれ以上の音楽記録物、１つ又はそれ以上の出版又は、そのような異なる形式の組合せのような異なる形式をとりうる。実体的な媒体は、磁気ディスク又はテープ、又は、Ａ／Ｖ情報内容が将来の再生のために蓄積されうる、他の実体的な媒体のような、異なる形式もとりうる。
【００２５】
例として、音楽配信アプリケーションでは、消費者は、インターネット６０９を通して、Ａ／Ｖ情報内容６０３としてメモリ６０２内に蓄積されている音楽記録物の選択物をダウンロードしうる。他の例では、ディジタル劇場アプリケーションでは、幾つかの劇場クライアントは、直接線接続６１３を通して、Ａ／Ｖ情報内容６０５として、メモリ６０２内に蓄積された映画の選択物を受信しうる。代わりに、他の劇場クライアントは、ＤＶＤ６０８のようなハード媒体を通して映画の選択物を受信し得る。更に他の例では、ポストプロダクションシステム又は分散された作業環境アプリケーションでは、契約者は、いずれか１つの配信手段を通して、更なる処理又はポストプロダクション作業のために、Ａ／Ｖ情報内容６０３を受信し得る。
【００２６】
配信サーバシステム６００に含まれているのは、Ａ／Ｖ情報内容６０３からの選択物についての要求を処理する配信サーバコンピュータ６０１、配信の条件と選択物の予期された受信者に関するある情報を含むメモリ６０５内に蓄積されたデータベース６０６及び、コピーを受信者に提供する前に、各選択物のコピー上へ情報内容識別子と受信者識別子を埋め込む識別子（”ＩＤ”）埋め込み器６０４である。選択物のコピーがＣＤ上に設けられているときには、ＣＤ書き込み器６０７も、含まれる。
【００２７】
ＩＤ埋め込み器６０４により、情報内容識別子（例えば、選択された音楽記録物、映画又は、出版物についての唯一の識別番号）と受信者識別子（例えば、消費者のクレジットカード番号、コンピュータのシリアル番号又は、ネットワークインターフェースカードＩＰアドレス）の埋め込みが、そのような情報を、供給されているコピーから除去することを防止するために、暗号化技術を使用して行われる。暗号化技術は、埋め込まれた情報が検出されるのが困難で、そして、そのような情報を除去しようとする試みは、一般的には、残りの素材のひどい劣化となるので、この目的のためには特に有益である。供給されるコピー上に、情報内容及び受信者の識別子を埋め込むのに、代わりにウォータマーク技術も使用され得る。
【００２８】
データベース６０６は、配信サーバシステム６００使用されているアプリケーションに依存して異なる名前が与えられ得る。例えば、Ａ／Ｖ情報内容６０３がリースされる又は販売されるアプリケーションでは、”価格構造”データベースと呼ばれる。契約者を含むアプリケーションでは、”入札構造”データベースと呼ばれる。その名前に関わらず、データベース６０６は、２つの基本的な形式の情報−、Ａ／Ｖ情報内容６０３からの選択された情報内容のコピーを提供する条件を決定するアルゴリズム又は公式、及び、そのようなＡ／Ｖ情報内容の受信者に以前に提供された他のＡ／Ｖ情報内容の未認可のコピーの情報、を有する。この後者の形式の情報は、受信者の”著作権侵害履歴”と呼ばれ、そして、提供されるアルゴリズム又は公式を通して、予期される受信者についての、標準的な条件及び状態の調整についての基礎を提供する。調整は、例えば、良好な著作権侵害履歴に対しては標準価格への割引、悪い著作権侵害履歴に対しては標準価格へのプレミアム又は要求された選択の完全な抑制、又は、おそらく、予期される受信者の著作権侵害履歴に依存する、後の購入のクーポンの発行又は幾つかの種類の賞、の形式をとりうる。
【００２９】
受信者の識別子は、幾つかの異なる形式をとりうる。６１０又は６１４のような受信者のコンピュータが、Ａ／Ｖ情報内容６０３の選択物を要求し且つ受信するために、配信サーバ６０１と通信するために使用される場合には、受信者識別子は、コンピュータのマイクロプロセッサの唯一のシリアル番号、又は、コンピュータのネットワークインターフェースカードに関連するＩＰアドレスでもよい。代わりに、受信者識別子は、受信者コンピュータの操作者又は、コンピュータを使用せずに選択を要求する個人に関連してもよい。そのような場合には、操作者又は個人のクレジットカード番号が、受信者識別子に使用され得る。代わりに、電子署名又は生物測定の情報が、そのような使用は電子商取引で受け入れられるようになるので、受信者の識別に使用されても良い。
【００３０】
クレジットカード情報の開放は、潜在的に、侵入的でないと見られ、そして、既に消費者の通常の電子商取引心理学の一部、そして、消費者に関する生物測定の情報の集合又は、消費者のコンピュータに関連するＩＰアドレスである。幾人かの消費者は、自分のクレジットカード情報を見せるのがいやであり、その情報を選択物の受信されたコピー内に埋め込むことを許すことへ同意することに基づいた価格差も可能である（即ち、情報の埋め込みを許し且つ、割引レートを得る又は、埋め込みを禁止しそして、プレミアムレートを支払う）。プライバシーを向上するために、クレジットカード番号の暗号化版又はインデックス番号又は購入者のクレジットカード番号に関連するエイリアスは、受信者の識別子として、代わりに使用されても良い。
【００３１】
予期された受信者が、他の識別子をだます場合には、だます受信者へ供給されたＡ／Ｖ情報内容６０３の選択物の未認可のコピーの後続の検出は、だまされた側へ間違って帰属される。これは、だまされた側へ否定的な影響を与え、一方だます側への影響を除去する。そのような活動を最小化するために、予期された受信者と配信サーバ６０１の間の安全なチャネルが望まれる。更に、配信サーバ６０１が予期される受信者の識別子を認証する手段が必要である。幾つかの認証プロトコルのどの１つもこの目的に使用できる（例えば、Ｓｃｈｎｅｉｄｅｒ，Ｂｒｕｃｅの、応用暗号（Ａｐｐｌｉｅｄ　Ｃｒｙｐｔｏｇｒａｐｈｙ）：プロトコル、アルゴリズム及び、Ｃでのソースコード、第２版、Ｊｈｏｎ　Ｗｉｌｅｙ＆Ｓｏｎｓ，１９９５年を参照）。
【００３２】
図７は、間接的にＡ／Ｖ情報内容７０３を配信する、配信サーバシステム７００を示す。消費者は、配信サーバ７０１から直接的に購入するのではなく、小売店を通してＣＤ７１１を購入するので、配信サーバシステム７００は、間接的である。購入処理の一部として、小売店クライアント７０８は、その識別子、購入者の識別子、及び、購入者により要求されたＡ／Ｖ情報内容７０３の選択を、配信サーバ７０１へ送信する。伝送は、ケーブル、ＩＳＤＮ、ＤＳＬ又は、他の好ましい高速伝送経路でもよい、直接線接続７０７によってである。配信サーバ７０１は、そのデータベース７０６から、小売店と購入者の著作権侵害履歴を検査し、そして、これらの著作権侵害履歴に基づく取引の条件を、小売店クライアント７０８へ送信して返す。条件は、一般的には、データベース７０６内に格納された１つ又はそれ以上の公式又はアルゴリズム又は、メモリ７０５又はメモリ７０２の幾つかの他の部分から、決定される。
【００３３】
購入者が取引条件を受け入れる場合には、小売店クライアント７０８は、ダウンロード要求を、配信サーバ７０１へ送信して返す。配信サーバ７０１は、その要求を受信し、そして、ＩＤ埋め込み器７０４が、Ａ／Ｖ情報内容７０３からの購入者の選択物の電子的コピー内に、情報内容識別子、小売店識別子、及び、購入者識別子を、埋め込むようさせる。埋め込みは、暗号化又はウォータマーキーング技術によって可能である。配信サーバ７０１は、電子的コピーを、高速伝送経路７０７をわたり、小売店クライアント７０８へ送信して戻す。小売店クライアント７０８は、電子的コピーを受信し、そして、ＣＤ書き込み器７０９が、電子的コピーからＣＤ７１０を発生するようにさせる。埋め込まれた識別子を有するハードコピーＣＤ７１０は、そして、従来の小売店取引で、購入者へ販売される。
【００３４】
図８は、保護された素材の配信方法８００のフロー図を示す。８０１では、図６の６０１のような配信サーバコンピュータ（ここでは単純に”配信サーバ”と呼ぶ）は、図６の６１０又は６１４のようなクライアントコンピュータ（ここでは単純に”クライアント”と呼ぶ）と、クライアントコンピュータの要求で、接続を確立する。サーバとクライアントは、従来のサーバ−クライアント関係を確立しているので、そのようにこの例では示されている。８０２では、配信サーバは、クライアントにより要求されたＡ／Ｖ情報内容について、クライアントから情報内容識別子を受信する。情報内容識別子は、要求されたＡ／Ｖ情報内容を唯一に識別する番号の形式である。８０３では、配信サーバは、情報内容識別子へのインデックスを設定する。８０４では、配信サーバは、要求されたＡ／Ｖ情報内容に対応する標準価格及び価格修正アルゴリズムを得る。価格と修正アルゴリズムは、配信サーバ内のメモリ内に格納されている。
【００３５】
８０５では、配信サーバは、クライアントに、その識別子を要求する。クライアント識別子は、クライアントコンピュータのシリアル番号又は、ネットワークインターフェースカードのＩＰアドレスでもよく、又は、要求する側の識別子でもよい。その場合には、識別子は、クレジットカード番号、電子署名又は、個人の生物学的データでもよい。８０６では、クライアントは、識別子要求に従うことに、従うか又は拒絶するかのいずれかである。クライアントが、識別子を供給することを拒絶する場合には、８０７で、配信サーバは、クライアントへ、要求された識別子が供給されない場合には、要求されたＡ／Ｖ情報内容は、入手できないということを示す。そして、８１９へジャンプし、配信サーバは、セッションを終了するために、クライアントとの接続を切断する。他方では、クライアントが従いそして、要求された識別子を供給する場合には、８０８で、配信サーバは、図６の６０６のような著作権侵害履歴データベース内に、クライアントの識別子の記録があるかどうかを検査する。
【００３６】
そのような記録がある場合には、８１１で、配信サーバは、そのクライアント識別子へ以前に供給されたＡ／Ｖ情報内容の未認可のコピーの履歴を示す、著作権侵害履歴データベースから価格修正パラメータを得る。他方では、データベース内にクライアント識別子の記録がない場合には、８０９で、配信サーバは、データベース内にそのクライアント識別子についての記録を設定する。８１０では、配信サーバは次に、そのクライアント識別子についてのデータベース内のカウンタをゼロに設定する。配信サーバは、そして８１１を実行する。この場合には、しかしながら、そのクライアント識別子についての最初の記録であるので、価格修正パラメータは、ゼロであるべきである。
【００３７】
８１２では、配信サーバは、要求された情報内容についての修正された価格を得るために、標準価格及び価格修正アルゴリズムへ、価格修正パラメータを与える。８１３では、配信サーバは、クライアントへ、承認のために、修正された価格を提供する。８１４では、クライアントが承認を戻さない場合には、配信サーバは８１９へジャンプし、そして、セッションを終了するために、クライアントへの接続を切断する。他方では、クライアントが承認を戻す場合には、８１５で、配信サーバは、そのメモリからＡ／Ｖ情報内容の要求された選択物を得て、そして、８１６で、クライアント識別子、情報内容識別子及び、要求されたＡ／Ｖ情報内容を、図６の６０４のような、ＩＤ埋め込み器へ供給する。
【００３８】
８１７では、ＩＤ埋め込み器は、クライアント及び情報内容識別子を、要求されたＡ／Ｖ情報内容のコピー内に埋め込む。ＩＤ埋め込み器は、配信サーバ又は、他の重要なタスクを実行するために配信サーバを開放するために他のコンピュータ上で実行される、プログラムである。他のコンピュータ上で実行されるときには、ＩＤ埋め込み機能が完了したかどうかを決定するために、配信サーバは周期的に、他のコンピュータをポーリングする。暗号化又はウォータマーキング技術が、要求されたＡ／Ｖ情報内容のコピーへ、識別子を埋め込むために、使用される。埋め込み機能が完了した後に、８１８で、配信サーバは、埋め込まれた識別子を有するＡ／Ｖ情報内容の電子的コピーを、クライアントへ供給する。８１９では、配信サーバは、クライアントとの接続を切断し、そして、セッションを終了する。
【００３９】
方法８００は、直接的にＡ／Ｖ情報内容を配信する、配信サーバシステム６００により使用される。配信サーバシステム７００により実行されるような、Ａ／Ｖ情報内容を間接的に配信する方法８００の修正は、簡単である。Ａ／Ｖ情報内容の間接的な配信のために、情報内容及びクライアント識別子を、要求し、受信し、その著作権侵害履歴を検査し、そして、埋め込むことに加えて、消費者識別子も、要求され、受信され、著作権侵害履歴について検査され、そして、消費者に供給される要求されたＡ／Ｖ情報内容のコピー内に埋め込まれる。
【００４０】
検出サーバ
図９は、図６の６００及び図７の７００の配信サーバシステムにより配信されたような、Ａ／Ｖ情報内容の未認可のコピーのデータベース９０４を発生するための、検出サーバシステム９００を示す。検出サーバ９０１は、データベース９０４のための情報を発生するために、インターネット９０８及び他の配信チャネル９０９からサンプルされたＡ／Ｖ情報内容を処理する。Ａ／Ｖ情報内容は、この例では、インターネット９０８及び非インターネット配信チャネル９０９の両方からサンプルされるけれども、あるアプリケーションでは、両方でないが、１つ又は他からサンプルすることが適切であろう。検出サーバシステム９００は、図６の６０６と図７の７０６のデータベースを発生するのにも、使用される。
【００４１】
検出サーバ９０１は、この例では、共有するグループ９０５と配信サイト９０６から、インターネット９０８をわたり、Ａ／Ｖ情報内容をサンプルする。共有するグループ９０５の典型的な例は、図１のナプスター仮想ネットワーク１００と、図２のグヌーテラ仮想ネットワーク２００を含む。そのような共有するグループ９０５からＡ／Ｖ情報内容をサンプルするために、検出サーバ９０１は、ナプスター仮想ネットワーク１００内の消費者コンピュータ１０９又は、グヌーテラ仮想ネットワーク２００内の消費者コンピュータ２０４のようなグループのメンバとして参加する。そのようなサンプリング中の検出サーバ９０１の動作は、ダウンロード活動により疑いが起こらないことを保証するために、そのようなグループ内の消費者コンピュータの典型的なプロファイル内に適合しなければならないことは理解されるべきである。そのようなグループ内の典型的な消費者コンピュータと同様なプロファイルを維持することの失敗は、グヌーテラ仮想ネットワーク２００の場合には、他の消費者コンピュータが、又は、ナプスター仮想ネットワーク１００の場合には、リストサーバが、共有グループから検出サーバ９０１を”禁止する”こととなる。そのような状況では、検出サーバ９０１にとっては、サンプリングを実行するためにその実行中の能力を保証するために、その身元を動的に変更することが必要である。
【００４２】
インターネット配信サイト９０６の例は、オンラインストアサイト、オンラインオークションサイト及び、販売又は売買のために利用できるＡ／Ｖ情報内容の集合を有する他のインターネットサイトを含む。他方では、非インターネット配信チャネル９０９の例は、ノミの市のような、著作権侵害された素材を配信するのに使用される典型的な配信チャネル及び、家屋形式の店のような、典型的な小売配信チャネルを含む。インターネットからのＡ／Ｖ情報内容のサンプリングは電子的な形式でサンプルを獲得することになるのではあるが、非インターネット配信チャネル９０９からのＡ／Ｖ情報内容のサンプリングは、典型的には、テープ、ＣＤ又はＤＶＤのような、磁気又は光媒体形式のＡ／Ｖ情報内容のサンプルを獲得することとなる。後者の場合には、ディジタルテープ、ＣＤ又はＤＶＤプレーヤは、最初にＡ／Ｖ情報内容を読みそして、それを電子的な形式で処理のために検出サーバ９０１へ送る。
【００４３】
検出サーバ９０１により受信されたＡ／Ｖ情報内容の各サンプルは、好ましくは、それに埋め込まれた、Ａ／Ｖ情報内容の識別子とＡ／Ｖ情報内容の最初の受信者の識別子を有する。埋め込まれた識別子がＡ／Ｖ情報内容内で簡単に位置が見つけられそして、著作権侵害者により剥がされることから保護するために、Ａ／Ｖ情報内容内の識別子を恒久的に埋め込むために、暗号化又はウォータマーキング技術が使用される。図６を参照して説明した配信サーバシステム６００の識別子埋め込み器６０４と、図７を参照して説明した配信サーバシステム７００の識別子埋め込み器７０４は、Ａ／Ｖ情報内容へそのような情報を埋め込む２つの手段である。
【００４４】
検出サーバ９０１が、Ａ／Ｖ情報内容のサンプルされたコピーを受信した後に、埋め込まれた情報内容及び受信者識別子を読むために、そのコピーをＩＤ検出器９０２送る。ＩＤ検出器９０２は、Ａ／Ｖ情報内容へ識別子を元々埋め込むのに採用された、暗号化又はウォータマーキング技術に関連する復号アルゴリズムを使用する。復号アルゴリズムは、Ａ／Ｖ情報内容内に、どこにそしてどのように、識別子が埋め込まれているかの情報を使用するので、基礎をなすＡ／Ｖ情報内容から、埋め込まれた識別子を分離することは、復号アルゴリズムにとって、簡単である。
【００４５】
検出サーバ９０１は、そして、Ａ／Ｖ情報内容のサンプルされたコピーから、ＩＤ検出器９０２により抽出された、情報内容及び受信者識別子を有するデータベース９０４内に格納された情報を更新する。Ａ／Ｖ情報内容についての情報内容及び受信者識別子を含む記録は、Ａ／Ｖ情報内容のコピーが受信者識別子に対応する受信者へ最初に配信されたときに、図６の配信サーバシステム６００又は、図７の配信サーバシステム７００のような、配信サーバシステムにより、データベース９０４内に以前に形成された。検出サーバ９０１は、抽出された情報内容及び受信者識別子を有する記録を、記録内のカウンタを増加させることにより更新する。そのような増加の唯一の例外は、検出サーバ９０１が、図６の６０８又は図７の７１０のＣＤ又はＤＶＤのような転送されたＡ／Ｖ情報内容のハードコピーの最初のサンプリングを検出するときである。Ａ／Ｖ情報内容の最初のハードコピーは、自由に転送できるので、それが最初のコピーでありうるので、最初のサンプリングはカウントされない。記録内のカウンタの結果のカウントは、それゆえに、識別された情報内容及び受信者の検出された未認可のコピーの数を表す。
【００４６】
データベース９０４内に情報の大きな集合を集めることにより、記録内の受信者によるＡ／Ｖ情報内容の後の購入のための標準価格に対する価格又は条件調整が、
−検出された未認可のコピーの量。
−未認可のコピーの地理的な分散。
−受信者により不法に配信されたタイトルの種類。
−Ａ／Ｖ情報内容の未認可のコピーが検出された媒体形式の種類（即ち、インターネットのみ、ＣＤのみ、両方、等）。
−受信者に属する未認可のコピーの履歴の欠如。
のようなものに基いて、以前に受信されたＡ／Ｖ情報内容の未認可のコピーについての、奨励金又は罰金を提供することが可能である。
【００４７】
図１０は、保護された素材の、未認可のコピーのデータベースを発生する方法１０００のフロー図を示す。この例では、図９の９０１のような検出サーバは、図１の１００のようなナプスター仮想ネットワークから入手できるＡ／Ｖ情報内容をサンプルする。図９の９０５を参照して説明したような他の共有するグループ及び図９の９０６を参照して説明したような配信サイトをサンプルする方法の修正は、簡単である。また、図９の９０９を参照して説明したような非インターネット配信チャネルから受信されたサンプルを処理する方法の修正も簡単である。
【００４８】
１００１では、検出サーバは、ナプスターリストサーバと接続を設立する。１００２では、検出サーバは、ナプスター仮想ネットワーク内の（単に”クライアント”とも呼ばれる）種々の消費者コンピュータから入手できるＡ／Ｖ情報内容のリストを読み、そして、疑わしい配信特性のＡ／Ｖ情報内容の１つのタイトルを識別する。この場合の識別は、タイトルが、Ａ／Ｖ情報内容の不正に入手した著作権侵害部分であると知られているという事実からの結果である。他方では、識別は、リストデータの複雑な統計分析からの結果でもよい。１００３では、検出サーバは、そして、識別された疑わしいＡ／Ｖ情報内容を保持する消費者コンピュータを識別する。この場合の識別は、”リスト上で最初”の基準に基いてもよく又は、識別は、検出サーバが発生しているデータベースの前の記録内で見つけられた未認可のコピーの消費者コンピュータの過去の履歴に基いてもよい。この後者の場合には、消費者コンピュータを、データベースの記録内の受信者識別子と関連させることが必要であろう。
【００４９】
１００４では、検出サーバは、識別された消費者コンピュータと接続を設立する。接続は、リストサーバからリスト上に供給されているアドレスへ接続することにより可能となされる。１００５では、検出サーバは、識別された消費者コンピュータから識別されたＡ／Ｖ情報内容のコピーを得て、そして、１００６で、検出サーバは、識別された消費者コンピュータとの接続を切断する。
【００５０】
１００７では、検出サーバは、Ａ／Ｖ情報内容の得られたコピーを、図９の９０２を参照して説明したように、（この例では”ウォータマーク”検出器とも単純に呼ばれる）ＩＤ検出器へ供給する。１００８では、検出サーバは、ＩＤ検出器が、Ａ／Ｖ情報内容内に埋め込まれている情報内容及び最初の受信者識別子を読み出すそのタスクを完了したかどうかを、周期的に検査する。完了すると、１００９で、検出サーバは、図６の６０１又は図７の７０１を参照して説明したように、配信サーバと接続を設立する。１０１０で、検出サーバは、配信サーバへ、情報内容及び受信者識別子送信し、それにより、配信サーバは、この場合には、未認可のコピーのデータベースを更新する。１０１１で、検出サーバは、配信サーバとの接続を切断する。１０１２で、検出サーバは、ナプスターリストから、Ａ／Ｖ情報内容のサンプリングを継続するべきかどうかを決定する。答えがイエスの場合には、検出サーバは、１００２へジャンプして戻る。他方では、答えがノーの場合には、１０１３で、検出サーバはリストサーバとの接続を切断し、そして、そのセッションを終了する。
【００５１】
配信／検出システム
現在動作しているディジタル劇場システムは、ディジタルプロジェクタによる後の投射のために、暗号化され且つ圧縮された映画を配信するために、ハードドライブを有する物理的なメールシステムを使用する。ディジタルマイクロミラー装置（テキサスインスツルメント）又は、光増幅器（ヒューズ−ＪＶＣ）のいずれかに基いている、ディジタルプロジェクタが、提案され、実地説明され又は、配備されている。将来は、これらのディジタル劇場への情報内容の配信は、衛星、光ファイバーケーブル、マイクロ波、磁気テープ媒体又は、光媒体により起こりうると、予想される。ディジタル劇場システムは、暗号化を含めるために種々の安全性の特徴を備えなければならないことは、一般的には、受け入れられる。
【００５２】
図１１は、ディジタル劇場システムへＡ／Ｖ情報内容を配信し、そして、そのようなＡ／Ｖ情報内容の未認可のコピーを検出する、システム１１００を示す。この例では、システム１１００は、４つの主なサブシステム：配信サーバサブシステム、ディジタル劇場サブシステム、著作権侵害サブシステム及び、検出サーバサブシステム、を有する。
【００５３】
配信サーバサブシステムは、配信処理を制御する配信サーバ１１０１、配信されるＡ／Ｖ情報内容１１０３を格納するメモリ１１０２、配信されるＡ／Ｖ情報内容１１０３の各コピーへ情報内容識別子を埋め込むＩＤ埋め込み器１１０４、配信されるＡ／Ｖ情報内容１１０３の各コピーを暗号化する暗号化器１１０５及び、以前に配信されたＡ／Ｖ情報内容の未認可のコピーに関する情報を含むデータベース１１０７を格納するメモリ１１０６を含む。メモリ１１０２と１１０６は、同じ又は異なるマスストレージ装置でもよい。配信の条件は、メモリ１１０６に格納される標準価格及び価格調整アルゴリズムを含む。代わりに、そのような条件は、メモリ１１０４に格納されてもよい。価格調整アルゴリズムは、以前にディジタル劇場システムへ配信されたＡ／Ｖ情報内容の未認可のコピーの情報に依存する。この場合のＡ／Ｖ情報内容１１０３は、ディジタル映画であり、そして、ディジタル映画の情報内容識別子は、”印刷”番号である。伝送前のコピーの暗号化は、安全な伝送を保障する。配信サーバ１１０１は、ＩＤ埋め込み器１１０４と暗号化器１１０５を制御し、そして、Ａ／Ｖ情報内容の暗号化されたコピー１１０３’を、データベース１１０７内の情報から決定される条件の下で、伝送経路１１０８をわたり、ディジタル劇場サブシステムへ送信する。
【００５４】
ディジタル劇場サブシステムは、上演処理を制御する劇場クライアントコンピュータ１１０９、配信サーバサブシステムから受信された暗号化されたＡ／Ｖ情報内容１１０３’を格納するメモリ１１１８、Ａ／Ｖ情報内容１１０３’の格納されたコピーを復号する復号器１１１０、Ａ／Ｖ情報内容１１０３の復号されたコピー内に受信者識別子を埋め込むＩＤ埋め込み器１１１１、処理されたＡ／Ｖ情報内容１１０３から画像を投射するディジタルプロジェクタ１１１２及び、投射された画像を観衆に表示するスクリーン１１１３を含む。
【００５５】
劇場クライアントコンピュータ１１０９は、ディジタル映画を再生するための適切なときに、メモリ１１１８から暗号化されたＡ／Ｖ情報内容１１０３’を取りだし、復号器１１１０にＡ／Ｖ情報内容１１０３’を復号させ、ＩＤ埋め込み器１１１１にＡ／Ｖ情報内容１１０３の復号されたコピーへ受信者識別子を埋め込ませ、そして、ディジタルプロジェクタ１１１２へこのように処理されたＡ／Ｖ情報内容１１０３から画像を投射させるように、上演処理を制御する。この場合の受信者識別子は、例えば、劇場、プロジェクタ、及び、投射の日時を、唯一に識別する番号又はコードである。埋め込みは、暗号化又はウォータマーキング技術を使用する。埋め込みは、人間の心理視覚システムに持続性があり且つ透明であり、その存在は、映画の視聴の楽しみを妨害しない。
【００５６】
著作権侵害サブシステムは、著作権侵害者がスクリーン１１１３からＡ／Ｖ情報内容１１０３の未認可のコピー（”著作権侵害されたコピー”）を記録するのに使用するカムコーダ１１１４及び、著作権侵害されたコピーのコピーを配信する配信チャネル１１１５を有する。著作権侵害者がスクリーン１１１３から映画を記録するときに、しかしながら、著作権侵害されたコピーは、まだ”印刷ＩＤ”、”劇場ＩＤ”、”プロジェクタＩＤ”及び、その中に埋め込まれた日時スタンプ情報を含む。
【００５７】
検出サーバサブシステムは、配信チャネル１１１５を通して配信されたＡ／Ｖ情報内容をサンプルし、Ａ／Ｖ情報内容１１０３の未認可のコピーを検出し、そして、そのような未認可のコピーに関する情報を、配信サーバ１１０１へ供給しそれにより、そのような情報を有するデータベース１１０７を更新できる。そのような検出サーバサブシステムの例は、図９の９００を参照して説明され、図１１の検出サーバ１１１６とＩＤ検出器１１１７は、図９の９０１と９０２のそれらのそれぞれの対の片方の機能を実行する。
【００５８】
図１２は、ポストプロダクションシステムで、Ａ／Ｖ情報内容１２０６又はその一部を、契約者１２０２、１２０３及び、１２０４へ配信し、配信チャネル１２１３を通してそのように配信されたＡ／Ｖ情報内容の未認可のコピーを検出する、システム１２００を示す。従来のポストプロダクション作業では、幾つかの異なる契約者が特定のオーディオ又はビデオ製作サービスに値段をつける。入札者の評判と入札価格を含む幾つかの要素に基づいて、発行者又は情報内容製作者は、ある特定のサービスを提供する契約者を選択する。システム１２００は、データベース１２１７内の種々の契約者に属する未認可のコピーの履歴を維持し、そして、受賞者を決定するために契約者の値段を調整するために、そのような履歴に依存する条件アルゴリズム又は公式を使用するので、そのような従来のアプローチの改善である。
【００５９】
例により、システム１２００の動作を説明するために、（発行者コンピュータ１２０１により示された）発行者に値段を提出した、（契約者コンピュータ１２０２、１２０３及び、１２０４により示された）３つの異なる契約者が示されている。第１の例では、契約者１２０２と１２０３は、Ａ／Ｖ情報内容１２０６に関するある特定の形式の作品を製作するための契約を獲得した。従って、発行者１２０１は、Ａ／Ｖ情報内容１２０６のコピーを、ＩＤ埋め込み器１２１８によりコピーに埋め込まれた契約者の識別子と共に、各契約者へ、配信する。埋め込みは、暗号化又はウォータマーキング技術を使用する。合意を得たサービスを提供する途中で、しかしながら、契約者１２０２は、Ａ／Ｖ情報内容１２０６を、（配信チャネル１２１３により示された）著作権侵害複製及び配信システムへ不適切に開放する。
【００６０】
Ａ／Ｖ情報内容１２０６のコピーについて配信チャネル１２１３をサンプリングし、そして、検出サーバ１２１４へサンプルされたＡ／Ｖ情報内容を供給することにより、Ａ／Ｖ情報内容１２０６のコピーを不適切に開放した契約者の身元は、Ａ／Ｖ情報内容１２０６のサンプルされたコピーから埋め込まれた契約者の識別子を読む、ＩＤ検出器１２１５により確立されることが可能である。契約者の身元を確立すると、検出サーバ１２１４は、”入札構造データベース”と呼ばれるデータベース１２１７内の情報を更新できる。後の入札の交渉に対して、図６の６０１のような配信サーバとして機能する発行者コンピュータ１２０１は、そのような後続の契約者を受賞させる要素として、再配信する情報内容の各々の契約者の履歴に関する情報を使用する。例えば、発行者コンピュータ１２０１は、以前に配信されたＡ／Ｖ情報内容のコピーを不適切に開放した契約者に、これらの後続の契約者に受賞させることを考える前にその契約者へ、他の２つの入札者の１０％以下の値段を提供することを要求することができる。代わりに、発行者コンピュータ１２０１は、自動的に後続の入札についての考慮から再配信する契約者を除去することができる。全契約者が情報内容の再配信の幾つかの履歴を有した場合には、入札評価処理中にこの履歴に値をつけるために種々のアルゴリズムが使用できる。
【００６１】
本発明の種々の面を、好ましい実施例に関して説明したが、本発明は、請求の範囲の全範囲内で完全な保護を与えられる資格があることは、理解されよう。例えば、ここで説明した例に加えて、配信サーバシステム、検出サーバシステム、及び、配信及び検出サーバシステムを組合せるシステムの、多くの他の応用が存在する。１つのそのような応用は、例えば、航空機内の娯楽である。また、配信サーバにより電子的に配信されているＡ／Ｖ情報内容は、受信者コンピュータシステムにより将来の再生のために蓄積されることが可能なファイルとして配信され又は、”ペイ−フォー−ビュー”機構のような受信者コンピュータシステム上で単一の再生のためにストリーミング媒体として配信されうる。説明された例により暗示されるこれらの及び他の可能性の全ては、本発明の全範囲内であると考えられる。
【図面の簡単な説明】
【図１】
例として、ナプスター仮想ネットワークのブロック図を示す図である。
【図２】
例として、グヌーテラ仮想ネットワークのブロック図を示す図である。
【図３】
例として、グヌーテラ仮想ネットワークのネットワーク図を示す図である。
【図４】
例として、ディジタル劇場システムのブロック図を示す図である。
【図５】
例として、分散された作業環境のブロック図を示す図である。
【図６】
例として、本発明の面を使用して、Ａ／Ｖ情報内容を直接的に配信する配信サーバシステムのブロック図を示す図である。
【図７】
例として、本発明の面を使用して、Ａ／Ｖ情報内容を間接的に配信する配信サーバシステムのブロック図を示す図である。
【図８】
例として、本発明の面を使用して、保護された素材を配信する方法のフロー図を示す図である。
【図９】
例として、本発明の面を使用して、Ａ／Ｖ情報内容の未認可のコピーのデータベースを発生する検出サーバシステムのブロック図を示す図である。
【図１０】
例として、本発明の面を使用して、保護された素材の未認可のコピーのデータベースを発生する方法のフロー図を示す図である。
【図１１】
例として、本発明の面を使用して、ディジタル劇場へＡ／Ｖ情報内容を配信し、且つそのようなＡ／Ｖ情報内容の未認可のコピーを検出するシステムを示す図である。
【図１２】
例として、本発明の面を使用して、契約者へＡ／Ｖ情報内容を配信し、且つそのようなＡ／Ｖ情報内容の未認可のコピーを検出するシステムを示す図である。
【図１】
2004514204.tif 000003
【図２】
2004514204.tif 000004
【図３】
2004514204.tif 000005
【図４】
2004514204.tif 000006
【図５】
2004514204.tif 000007
【図６】
2004514204.tif 000008
【図７】
2004514204.tif 000009
【図８】
2004514204.tif 000010
【図９】
2004514204.tif 000011
【図１０】
2004514204.tif 000012
【図１１】
2004514204.tif 000013
【図１２】
2004514204.tif 000014
【国際公開パンフレット】
2004514204.tif 000015
2004514204.tif 000016
2004514204.tif 000017
2004514204.tif 000018
2004514204.tif 000019
2004514204.tif 000020
2004514204.tif 000021
2004514204.tif 000022
2004514204.tif 000023
2004514204.tif 000024
2004514204.tif 000025
2004514204.tif 000026
2004514204.tif 000027
2004514204.tif 000028
2004514204.tif 000029
2004514204.tif 000030
2004514204.tif 000031
2004514204.tif 000032
2004514204.tif 000033
2004514204.tif 000034
2004514204.tif 000035
2004514204.tif 000036
2004514204.tif 000037
2004514204.tif 000038
2004514204.tif 000039
2004514204.tif 000040
2004514204.tif 000041
2004514204.tif 000042
2004514204.tif 000043
2004514204.tif 000044
2004514204.tif 000045
2004514204.tif 000046
2004514204.tif 000047
2004514204.tif 000048
2004514204.tif 000049
2004514204.tif 000050
2004514204.tif 000051
2004514204.tif 000052
2004514204.tif 000053
2004514204.tif 000054
2004514204.tif 000055
2004514204.tif 000056
2004514204.tif 000057
2004514204.tif 000058
2004514204.tif 000059
2004514204.tif 000060
2004514204.tif 000061
2004514204.tif 000062
2004514204.tif 000063
2004514204.tif 000064
2004514204.tif 000065
2004514204.tif 000066
【国際公開パンフレット（コレクトバージョン）】
2004514204.tif 000067
【国際調査報告】
2004514204.tif 000068
2004514204.tif 000069